(57)【要約】【課題】溶接を行わずに製造することができるエレベータのドア装置を提供することである。【解決手段】エレベータのドア装置において、ドアパネル２の横幅方向の両端に形成され、ドアパネル本体７から折返された第１折返し部８ａとこの第１折返し部８ｂの先端側から折返された第２折返し部８ｂとからなる断面形状Ｕ字型の折返し部８と、第２折返し部８ｂに形成された切欠き部９及び第１締結部材挿入孔１０と、上部補強部材３の両端に形成され、ドアパネル２の裏面側から切欠き部９に挿入可能な第１突起部１３と、第１突起部１３に形成され、この第１突起部１３を切欠き部９に挿入した後に上部補強部材３の位置を上下方向にずらした場合に第１締結部材挿入孔１０に連通される第２締結部材挿入孔１５と、連通された第１締結部材挿入孔１０と第２締結部材挿入孔１５とに挿入されてドアパネル２と上部補強部材３とを締結する第１締結部材１７とを備える。【選択図】図４
2012162381.tif 000002
【特許請求の範囲】
【請求項１】
ドアパネルと、このドアパネルの裏面側の上部に締結されて長手方向を水平方向に向けた長尺状の上部補強部材と、前記ドアパネルの裏面側の下部に締結されて長手方向を水平方向に向けた長尺状の下部補強部材と、前記ドアパネルの裏面側に締結されて長手方向を上下方向に向けた長尺状の縦補強部材とを有するエレベータのドア装置において、
前記ドアパネルの横幅方向の両端に形成され、ドアパネル本体から折返された第１折返し部とこの第１折返し部の先端側から折返された第２折返し部とからなる断面形状Ｕ字型の折返し部と、
前記第２折返し部に形成された切欠き部及び第１締結部材挿入孔と、
前記上部補強部材の長手方向の両端に形成され、前記ドアパネルの裏面側から前記切欠き部に挿入可能な第１突起部と、
前記第１突起部に形成され、この第１突起部を前記切欠き部に挿入した後に前記上部補強部材の位置を上下方向にずらした場合に前記第１締結部材挿入孔に連通される第２締結部材挿入孔と、
連通された前記第１締結部材挿入孔と前記第２締結部材挿入孔とに挿入されて前記ドアパネルと前記上部補強部材とを締結する第１締結部材と、
を備えることを特徴とするエレベータのドア装置。
【請求項２】
前記下部補強部材の長手方向の両端に形成され、前記第２折返し部と重ね合わせ可能な第２突起部と、
前記第２突起部に形成された第３締結部材挿入孔と、
前記第２折返し部に形成され、前記第３締結部材挿入孔に連通可能な第４締結部材挿入孔と、
連通された前記第２締結部材挿入孔と前記第４締結部材挿入孔とに挿入されて前記ドアパネルと前記下部補強部材とを締結する第２締結部材と、
を備えることを特徴とする請求項１記載のエレベータのドア装置。
【請求項３】
前記縦補強部材の長手方向の両端に形成された係合突起と、
前記下部補強部材に形成され、一端側の前記係合突起が上方から挿入可能な第１スリットと、
前記上部補強部材に形成され、他端側の前記係合突起が前記ドアパネルの裏面側から挿入可能な第２スリットと、
を備えることを特徴とする請求項１又は２記載のエレベータのドア装置。
【請求項４】
前記上部補強部材に第３締結部材により締結され、前記係合突起が挿入された前記第２スリットを前記ドアパネルの裏面側から覆う抑え部材を備えることを特徴とする請求項３記載のエレベータのドア装置。
【発明の詳細な説明】
【技術分野】
【０００１】
本発明の実施形態は、エレベータのドア装置に関する。
【背景技術】
【０００２】
エレベータ乗りかごやエレベータ乗り場に設けられているエレベータのドア装置は、水平方向に移動可能なドアパネルと、このドアパネルの裏面側に締結された補強部材とを有している。そして、ドアパネルへの補強部材の締結は、下記特許文献１に記載されたように溶接により行われていた。
【先行技術文献】
【特許文献】
【０００３】
【特許文献１】特開昭５４−１１５８５０号公報
【発明の概要】
【発明が解決しようとする課題】
【０００４】
エレベータのドア装置の製造では、素材の切断工程、打ち抜き工程、曲げ工程を経てドアパネルと補強部材とを形成し、その後に補強部材をドアパネルに溶接している。この補強部材をドアパネルに溶接する作業は、溶接作業の有資格者でなければ行えないという制約がある。
【０００５】
近年、エレベータの製造においては、製造時間の短縮を目的として製造工程の簡素化を図り、より効率よく生産できる改善が求められており、各種の有資格者でなくとも生産できるモノづくりが求められている。
【０００６】
本発明はこのような課題を解決するためになされたもので、その目的は、溶接を行わずにドアパネルと補強部材とを締結することができるエレベータのドア装置を提供することである。
【課題を解決するための手段】
【０００７】
実施形態によれば、ドアパネルと、このドアパネルの裏面側の上部に締結されて長手方向を水平方向に向けた長尺状の上部補強部材と、ドアパネルの裏面側の下部に締結されて長手方向を水平方向に向けた長尺状の下部補強部材と、ドアパネルの裏面側に締結されて長手方向を上下方向に向けた長尺状の縦補強部材とを有するエレベータのドア装置において、ドアパネルの横幅方向の両端に形成され、ドアパネル本体から折返された第１折返し部とこの第１折返し部の先端側から折返された第２折返し部とからなる断面形状Ｕ字型の折返し部と、第２折返し部に形成された切欠き部及び第１締結部材挿入孔と、上部補強部材の長手方向の両端に形成され、ドアパネルの裏面側から前記切欠き部に挿入可能な第１突起部と、第１突起部に形成され、この突起部第１を前記切欠き部に挿入した後に上部補強部材の位置を上下方向にずらした場合に第１締結部材挿入孔に連通される第２締結部材挿入孔と、連通された第１締結部材挿入孔と第２締結部材挿入孔とに挿入されてドアパネルと上部補強部材とを締結する第１締結部材と、を備える。
【図面の簡単な説明】
【０００８】
【図１】エレベータのドア装置を示す背面図である。
【図２】上部補強部材を示す背面図である。
【図３】上部補強部材を示す側面図である。
【図４】ドアパネルへの上部補強部材の取付構造を示す分解斜視図である。
【図５】下部補強部材を示す斜視図である。
【図６】縦補強部材を示す斜視図である。
【発明を実施するための形態】
【０００９】
本発明の一実施の形態を図面に基づいて説明する。エレベータのドア装置１は、図１に示すように、ドアパネル２と、このドアパネル２の裏面側に締結された上部補強部材３、下部補強部材４、縦補強部材５と、上部補強部材３に締結された抑え部材６とを有している。
【００１０】
ドアパネル２は、平板状のドアパネル本体７と、ドアパネル２の横幅方向の両端に上下方向に沿って形成された折返し部８とを有している。折返し部８は、図４に示すように、ドアパネル本体７からドアパネル２の裏面側に折返された第１折返し部８ａと、この第１折返し部８ａの先端側からドアパネル２の内側方向へ折返された第２折返し部８ｂとからなる断面形状Ｕ字型に形成されている。
【００１１】
第２折返し部８ｂには、切欠き部９と、第１締結部材挿入孔であるリベット孔１０と、リベット孔１１とが形成されている。リベット孔１０は上下方向に沿って設けられた折返し部８における切欠き部９より下側に形成され、リベット孔１１は切欠き部９より上側に形成されている。
【００１２】
上部補強部材３は、図１に示すように、ドアパネル２の裏面側の上部に締結されて長手方向を水平方向に向けた長尺状の部材である。上部補強部材３は図３に示すように、長手方向に沿った上側と下側とにそれぞれ断面形状Ｕ字型の折返し部１２が形成されている。さらに、上部補強部材３の長手方向の両端には、図２及び図４に示すように、それぞれ第１突起部１３と突起部１４とが形成されている。第１突起部１３は、ドアパネル２の裏面側から切欠き部９に挿入可能なサイズに形成されている。突起部１４は、第１突起部１３を切欠き部９に挿入させた場合に折返し部８の上方に位置するように位置決めされ、及び、第１突起部１３を切欠き部９に挿入した上部補強部材３の位置を下方へずらした場合に折返し部８内に入り込むことが可能なサイズに形成されている。
【００１３】
第１突起部１３には第２締結部材挿入孔であるリベット孔１５が形成され、突起部１４にはリベット孔１６が形成されている。第１突起部１３を切欠き部９に挿入した後に上部補強部材３の位置を下方にずらした場合に、リベット孔１０とリベット孔１５とが連通され、及び、リベット孔１１とリベット孔１６とが連通される。そして、リベット孔１０とリベット孔１５とに第１締結部材であるリベット１７を挿入してその先端部を潰し、及び、リベット孔１１とリベット孔１６とにリベット１８を挿入してその先端部を潰すことにより、ドアパネル２と上部補強部材３とが締結されている。
【００１４】
また、上部補強部材３の下側の折返し部１２には、縦補強部材５に形成された後述する係合突起２７がドアパネル２の裏面側から挿入可能な複数の第２スリット１９が形成されている。
【００１５】
下部補強部材４は、ドアパネル２の裏面側の下部に締結されて長手方向を水平方向に向けた長尺状の部材である。下部補強部材４は図５に示すように、長手方向に沿った上側に断面形状Ｕ字型の折返し部２０が形成され、下部補強部材４の長手方向の両端には第２折返し部８ｂと重ね合わせ可能な第２突起部２１が形成されている。第２突起部２１には第３締結部材挿入孔であるリベット孔２２が形成され、このリベット孔２２と第２折返し部８ｂに形成された第４締結部材挿入孔であるリベット孔２３とを連通させ、これらのリベット孔２２、２３に第２締結部材であるリベット２４を挿入してその先端部を潰すことにより、ドアパネル２と下部補強部材４とが締結されている。
【００１６】
また、下部補強部材４の折返し部２０には、縦補強部材５に形成された後述する係合突起２８が上方から挿入可能な複数の第１スリット２５が形成されている。
【００１７】
縦補強部材５は、ドアパネル２の裏面側に締結されて長手方向を上下方向に向けた長尺状の部材である。縦補強部材５は図６に示すように、長手方向と直交する向きの断面形状がＵ字型に形成され、長手方向に沿った両側には折曲部２６が形成されている。さらに、縦補強部材５の長手方向の両端には係合突起２７、２８が形成されている。一端側（下端側）の係合突起２８は下部補強部材４に形成された第１スリット２５に対して上方から挿入可能に設けられ、他端側（上端側）の係合突起２７は上部補強部材３に形成された第２スリット１９に対してドアパネル２の裏面側から挿入可能に設けられている。
【００１８】
抑え部材６は、ドアパネル２に上部補強部材３と下部補強部材４と縦補強部材５とを締結した後に、上部補強部材３に複数の第３締結部材であるリベット２９により締結されたた部材である。リベット２９は、上部補強部材３に形成されたリベット孔３０と抑え部材６に形成されたリベット孔３１とに挿通され、その先端部が潰されている。上部補強部材３に締結された抑え部材６は、係合突起２７が挿入された第２スリット１９をドアパネル２の裏面側から覆っている。
【００１９】
このような構成において、ドア装置１を製造する手順について説明する。まず、ドアパネル２に上部補強部材３を締結する。この締結に際しては、図４に示すように、上部補強部材３をドアパネル２の裏面側から矢印Ａで示す方向に移動させ、第１突起部１３を切欠き部９に挿入する。第１突起部１３を切欠き部９に挿入した場合、突起部１４は折返し部８の上方に位置している。
【００２０】
第１突起部１３を切欠き部９に挿入した後、上部補強部材３の位置を矢印Ｂで示す下方へずらし、リベット孔１０とリベット孔１５、及び、リベット孔１１とリベット孔１６とを連通させる。そして、リベット孔１０、１５にリベット１７を挿入してその先端部を潰し、及び、リベット孔１１、１６にリベット１８を挿入してその先端部を潰す。これにより、ドアパネル２と上部補強部材３とを溶接することなく締結することができ、上部補強部材３をドアパネル２に締結することによりドアパネル２の上部側が補強される。
【００２１】
なお、ドアパネル２と上部補強部材３とを締結した場合、ドアパネル本体７と上部補強部材３との対向する面が接触しており、これらの接触する面の間に接着剤が塗布され、この接着剤によりドアパネル２と上部補強部材３とが接着されている。
【００２２】
つぎに、ドアパネル２に下部補強部材４を締結する。この締結は、下部補強部材４の第２突起部２１を第２折返し部８ｂに重ね合わせ、リベット孔２３とリベット孔２２とを連通させ、連通させたリベット孔２３、２２にリベット２４を挿入してその先端部を潰すことにより行われている。これにより、ドアパネル２と下部補強部材４とを溶接することなく締結することができ、下部補強部材４をドアパネル２に締結することによりドアパネル２の下部側が補強される。
【００２３】
なお、ドアパネル２と下部補強部材４とを締結した場合、ドアパネル本体７と下部補強部材４との対向する面が接触しており、これらの接触する面の間に接着剤が塗布され、この接着剤によりドアパネル２と下部補強部材４とが接着されている。
【００２４】
つぎに、ドアパネル２に縦補強部材５を締結する。この締結は、縦補強部材５の下端側の係合突起２８を下部補強部材４の第１スリット２５に上方から挿入し、この挿入後に縦補強部材５をドアパネル２の裏面側に倒しながら係合突起２７を上部補強部材３の第２スリット１９に挿入することにより行われている。これにより、ドアパネル２と縦補強部材５とを溶接することなく締結することができ、縦補強部材５をドアパネル２に締結することによりドアパネル２の中央部分が補強される。
【００２５】
なお、ドアパネル２と縦補強部材５とを締結した場合、ドアパネル本体７と縦補強部材５の折曲部２６とが接触しており、これらの接触する面の間に接着剤が塗布され、この接着剤によりドアパネル２と縦補強部材５とが接着されている。
【００２６】
つぎに、上部補強部材３に抑え部材６を締結する。この締結は、係合突起１９が挿入された第２スリット１９を覆う位置に抑え部材６を位置させ、この抑え部材６のリベット孔３１と上部補強部材３のリベット孔３０とにリベット２９を挿通し、その先端部を潰すことにより行われている。これにより、上部補強部材３と抑え部材６とを溶接することなく締結することができる。そして、抑え部材６を上部補強部材３に締結することにより、上部補強部材３とドアパネル本体７との間の接着が剥がれた場合でも、係合突起２７が第２スリット１９から抜け出すことや、縦補強部材５がドアパネル２から脱落することを防止することができる。
【００２７】
この実施形態は、例として提示したものであり、発明の範囲を限定することは意図していない。この新規な実施形態は、その他の様々な形態で実施されることが可能であり、発明の要旨を逸脱しない範囲で、様々の省略、置き換え、変更を行うことができる。この実施形態やその変更は、発明の範囲や要旨に含まれるとともに、特許請求の範囲に記載された発明とその均等の範囲に含まれる。
【符号の説明】
【００２８】
１      ドア装置
２      ドアパネル
３      上部補強部材
４      下部補強部材
５      縦補強部材
６      抑え部材
７      ドアパネル本体
８      折返し部
８ａ    第１折返し部
８ｂ    第２折返し部
９      切欠き部
１０      リベット孔（第１締結部材挿入孔）
１３      第１突起部
１５      リベット孔（第２締結部材挿入孔）
１７      リベット（第１締結部材）
１９      第２スリット
２１      第２突起部
２２      リベット孔（第３締結部材挿入孔）
２３      リベット孔（第４締結部材挿入孔）
２４      リベット（第２締結部材）
２５      第１スリット
２７      係合突起
２８      係合突起
２９      リベット（第３締結部材）
【図１】
2012162381.tif 000003
【図２】
2012162381.tif 000004
【図３】
2012162381.tif 000005
【図４】
2012162381.tif 000006
【図５】
2012162381.tif 000007
【図６】
2012162381.tif 000008